(57)【要約】【課題】タッチパネルの接触操作をクリック感を伴って適切に行えるエレベーターの操作盤を得る。【解決手段】エレベーターの制御装置に接続された乗場またはかご内の操作盤において、タッチパネル１により構成されたパネルディスプレイの表面上に設けられ、透明ドーム部３を有するディスプレイカバー２を備え、前記ディスプレイカバー２の透明ドーム部３は、指で押すと反転して凹みタッチパネルへの接触動作を行うとともに、指を離すと元のドーム状に復元するように構成した。【選択図】図１
2005082299.tif 000002
【特許請求の範囲】
【請求項１】
エレベーターの制御装置に接続された操作盤において、タッチパネルにより構成されたパネルディスプレイの表面上に設けられ、突出したドーム形状を持つ押圧操作部を有するディスプレイカバーを備え、前記ディスプレイカバーの突出したドーム形状を持つ押圧操作部は、押圧操作により反転して凹みタッチパネルへの接触動作を行うことを特徴とするエレベーターの操作盤。
【請求項２】
前記ディスプレイカバーにおける突出したドーム形状を持つ押圧操作部の表面に、触覚により識別可能な識別部を設けたことを特徴とする請求項１に記載のエレベーターの操作盤。
【請求項３】
タッチパネルにより構成された所定のキー配列を有するパネルディスプレイにおけるいずれかのキーについての接触動作を行う突出したドーム形状を持つ複数の押圧操作部と、前記複数の押圧操作部を取り付ける取付部材とを備え、前記押圧操作部を各キー毎に前記取付部材から取り外し可能な構造としたことを特徴とする請求項１または請求項２に記載のエレベーターの操作盤。
【発明の詳細な説明】
【技術分野】
【０００１】
この発明は、エレベーターの制御装置に接続された、かごまたは乗場の操作盤に関するものである。
【背景技術】
【０００２】
タッチパネルを利用した従来のエレベーターのかごまたは乗場操作盤は、パネルの平面なディスプレイ自体に指でタッチする構成となっている（例えば、特許文献１参照）。
このような構成では、通常の押しボタンに慣れている者にとってはクリック感がないため違和感を覚えたり、直接手でディスプレイに触れるためそれ自体が汚れやすくメンテナンスに費用がかかるなどの問題点があった。また、視覚障害者には何のボタンが押されたのか分からないため利用困難であった。
【０００３】
【特許文献１】特開平６−１４４７２６号公報
【発明の開示】
【発明が解決しようとする課題】
【０００４】
この発明は、タッチパネルの接触操作をクリック感を伴って適切に行えるエレベーターの操作盤を得ようとするものである。
【課題を解決するための手段】
【０００５】
この発明に係るエレベーターの操作盤では、タッチパネルにより構成されたパネルディスプレイの表面上に設けられ、突出したドーム形状を持つ押圧操作部を有するディスプレイカバーを備え、前記ディスプレイカバーの突出したドーム形状を持つ押圧操作部は、押圧操作により反転して凹みタッチパネルへの接触動作を行うものである。
【発明の効果】
【０００６】
この発明によれば、タッチパネルの接触操作をクリック感を伴って適切に行えるエレベーターの操作盤を得ることができる。
【発明を実施するための最良の形態】
【０００７】
実施の形態１．
この発明による実施の形態を図１から図８までについて説明する。図１は、この発明による実施の形態におけるエレベーターの操作盤の構成を示す正面図である。図２は図１のII−II線における断面図である。図３は図２の構成におけるタッチ操作状態を示す断面図である。図４は、この発明による実施の形態における透明ドーム部の構成を示す正面図である。図５は図４のＶ−Ｖ線における断面図である。図６から図８までは、この発明による実施の形態におけるエレベーターの操作盤の変形構成をそれぞれ示す正面図である。
【０００８】
図１において、タッチパネル１は操作盤ＰＢに取り付けられている。透明なクリック用ドーム付ディスプレイカバー２はタッチパネル１におけるディスプレイ７の表面上に設置され、ディスプレイカバー２には、ディスプレイカバー２と一体または各キー毎に嵌め込める構造の透明ドーム部３が設けられている。
操作盤ＰＢにおけるタッチパネル１には、タッチパネル１の接触操作のための押しボタン操作の対象となるキーを構成する複数のボタン要素が設けられている。これらのボタン要素すなわちキーは、所定の配列でタッチパネル１の表面に配置されている。
ここでは、フロアインフォメーションを表示できる特定行き先階キー部４Ｓおよび１０キーによる行き先階登録ができる１０キー配列を表示した１０キー配列行き先階キー部４Ｔが設けられ、特定行き先階キー部４Ｓおよび１０キー配列行き先階キー部４Ｔの行き先階に相当する各ボタン要素としてのキーは、図２および図３に示されるタッチパネルのディスプレイ表面部７と接する透明ドーム側の接触部８を有するディスプレイカバー２に設けられた透明ドーム部３によりそれぞれ構成される。
また、操作盤ＰＢには、画像や文字情報を表示するディスプレイ領域５およびかごの位置や方向を表示するインジケータ６が設けられている。
【０００９】
この構成は、エレベーターの乗場に設置される乗場操作盤、または、かご内に設置される操作盤に適用されるもので、操作盤はすべてタッチパネルによって操作される。
図１から図３までに示す構成では、タッチパネル１のディスプレイ表面上に、指で押すとクリック感を伴って凹み、指を離すとまた元のドーム上に復元する押圧操作部を構成する透明ドーム部３を備えたディスプレイカバーが設置されており、この透明ドーム部３は凹んだ時に丁度タッチパネルのディスプレイ表面７に接触することで間接的にタッチパネル１を操作することになる。ディスプレイカバー２は操作盤やタッチパネル１の外枠などに固定しても良い。
【００１０】
これにより、通常のタッチパネルだけでは得られなかったクリック感が得られ、心地良い操作感と確実に操作したという安心感も得られる。また、直接ディスプレイ表面に手で触れないためタッチパネルが汚れにくくキー部の交換等のメンテナンスも容易で通常の使用状態よりも寿命が延びると考えられる。その他、視覚障害者には利用しづらかったタッチパネルにクリック感を持たせることで、操作性が向上し、触っている内に登録してしまうというような誤操作もなくなり、健常者と視覚障害者ともに利用できるタッチパネル式の操作盤が実現できる。
【００１１】
図４および図５には、凸文字付透明ドーム部３を有するディスプレイカバー２の変形例が示されている。
図４および図５では、透明ドーム部３の表面上に透明な凸文字部３ａからなる識別部を成型させることにより、触覚的にボタンの表示内容を知ることができるようになっていることを示している。
通常のタッチパネルではディスプレイの表面上にこのような凹凸はなく特に視覚障害者にとってはどこを触っているのかわかりにくいといった欠点があったが、この装置ではタッチパネルでありながら指で触れてキー部を操作する部分に凸文字部３ａがあるため、それに触れれば、そのキーが何であるかを認識しやすく、視覚障害者にも使い易い構造となっている。また、ドーム部３をクリックしない限りタッチパネル１を操作することはできないので、視覚障害を持つ人の誤操作は少なくなる。
そして、このようなタッチパネル１のキー部に対向して設けられる透明ドーム部３は、ディスプレイカバー２のフレームからなる取付部材に透明ドーム部３と一体に形成された取付用フック部片３ｂで着脱自在に取り付けられる。
【００１２】
図６から図８までには、タッチパネル１で構成される操作盤ＰＢの変形例が示されている。
図６から図８まででは、図４および図５に示す各行先階のボタン毎にディスプレイカバー２に嵌め込める（交換可能な）ような構造の透明ドーム部３を自由にアレンジしてディスプレイカバー２に嵌め込むことで多様な操作盤を得ることができる。
図６は最も一般的な行先階のキー配列、図７は１０キーによる行先階登録ができるキー配列、図８は１０キー配列によるキー部４Ｔと特定階のキー部４Ｓの両方を利用可能にしたキー配列の例を示している。図８の特定階キー部４Ｓのように、嵌め込む透明ドーム部３の大きさを変えることも容易にできるためボタンの配列もタッチパネルに表示する仕様に合わせて臨機応変に対応することができ、健常者、視覚障害者の両者が使い易いタッチパネル式操作盤の構成が可能となる。
ここで、図６から図８までに示すタッチパネル１におけるキー配列に応じて、ディスプレイカバー２の透明ドーム部３は、図５に示す透明ドーム部３と同様に、ディスプレイカバー２のフレームからなる取付部材に透明ドーム部３と一体に形成された取付用フック部片３ｂで着脱自在に取り付けられるものである。これら複数個の透明ドーム部３は、タッチパネル１のキー配列において押圧操作により作動する押しボタン要素としての各キーにそれぞれ対向し、各透明ドーム部３は各キーの押圧操作をそれぞれ個別に行うとともに、各キー毎にディスプレイカバー２のフレームからなる取付部材へ着脱可能に取り付けられている。
【００１３】
この発明による実施の形態では、エレベーターの制御装置に接続された、かごまたは乗場の操作盤において操作盤がタッチパネルにより構成され、そのパネルディスプレイの表面上に、透明なドームを形状をし、押すとクリック感が出て、ドームが凹んだ時にタッチパネルに触れるようなディスプレイカバーを設置した、クリック感のあるタッチ部を装備した事を特徴とするかごまたは乗場のエレベーターの操作盤を構成している。
通常タッチパネルにはストロークのあるクリック感は無いが、この装置は、クリック感があることで操作したという安心感が得られ、手垢などによるタッチパネルのディスプレイ部の汚れを防ぐことができるとともに、押圧操作を受ける透明ドーム部が汚れた場合でも透明ドーム部のみを交換することもできてメンテナンスが容易である。また、タッチパネルの寿命も通常使用時より延びる。
【００１４】
また、この発明による実施の形態では、透明なドーム状の表面に凸文字形状や突起を施すことで、視覚障害者にもタッチパネルが利用し易いようにしている。
【００１５】
さらに、この発明による実施の形態によれば、透明なドーム形状を各キー毎にフレームから取り外し可能な構造とし、多様なキーアレンジに変更できる。
【００１６】
この発明による実施の形態によれば、エレベーターの制御装置に接続される乗場またはかご内に設置された操作盤ＰＢにおいて、タッチパネル１により構成されたパネルディスプレイ７の表面上に設けられ、突出したドーム形状を持つ透明ドーム部３からなる押圧操作部を有するディスプレイカバー２を備え、前記ディスプレイカバー２の透明ドーム部３からなる押圧操作部は、指で押して押圧操作をすることにより反転して凹みタッチパネルへの接触動作を行うとともに、指を離して押圧操作が終わると元のドーム状に復元するようにように構成したので、タッチパネルの接触操作をクリック感を伴って適切に行えるエレベーターの操作盤を得ることができる。
【００１７】
また、この発明による実施の形態によれば、前項の構成において、前記ディスプレイカバー２における突出したドーム形状を持つ透明ドーム部３からなる押圧操作部の表面に、触覚により行先階キー等の操作対象が識別可能な突出文字部３ａ等からなる識別部を設けたので、タッチパネルの接触操作をクリック感を伴って適切に行えるとともに、視覚に頼ることなく識別を行えるエレベーターの操作盤を得ることができる。
【００１８】
さらに、この発明による実施の形態によれば、前項の構成において、タッチパネル１により構成された所定のキー配列を有するパネルディスプレイにおけるいずれかのキーについての接触動作を行う突出したドーム形状を持つ透明ドーム部３からなる複数の押圧操作部と、前記透明ドーム部３からなる複数の押圧操作部を取り付けるディスプレイカバー２のフレームからなる取付部材とを備え、前記透明ドーム部３からなる押圧操作部を各キー毎に前記ディスプレイカバー２のフレームからなる取付部材から取り外し可能な構造としたので、タッチパネルの接触操作をクリック感を伴って適切に行えるとともに、キー配列をタッチパネルの表示仕様に合わせて臨機応変に対応できるエレベーターの操作盤を得ることができる。
【図面の簡単な説明】
【００１９】
【図１】この発明による実施の形態におけるエレベーターの操作盤の構成を示す正面図である。
【図２】図１のII−II線における断面図である。
【図３】図２の構成におけるタッチ操作状態を示す断面図である。
【図４】この発明による実施の形態における透明ドーム部の構成を示す正面図である。
【図５】図４のＶ−Ｖ線における断面図である。図６から図８までは、この発明による実施の形態におけるエレベーターの操作盤の変形構成をそれぞれ示す正面図である。
【図６】この発明による実施の形態におけるエレベーターの操作盤の変形構成を示す正面図である。
【図７】この発明による実施の形態におけるエレベーターの操作盤の他の変形構成を示す正面図である。
【図８】この発明による実施の形態におけるエレベーターの操作盤の更に他の変形構成を示す正面図である。
【符号の説明】
【００２０】
１  タッチパネル、２  クリック用ドーム付透明ディスプレイカバー、３  透明ドーム部、４Ｓ，４Ｔ  行き先階キー部、５  ディスプレイ領域、６  インジケータ、７  タッチパネルのディスプレイ表面部、８  透明ドーム側の接触部。
【図１】
2005082299.tif 000003
【図２】
2005082299.tif 000004
【図３】
2005082299.tif 000005
【図４】
2005082299.tif 000006
【図５】
2005082299.tif 000007
【図６】
2005082299.tif 000008
【図７】
2005082299.tif 000009
【図８】
2005082299.tif 000010